(57)【要約】【課題】本発明の課題は、埋込み量に合わせて本体の埋込み部分を隠すことができ、壁に埋め込んだ状態の室内機の外観を美しくすることができる空気調和機の室内機およびそのカバー部材、ならびに室内機の壁埋込み方法を提供することにある。【解決手段】空気調和機の室内機１は、床置き型である。室内機１は、本体２と、カバー部材９とを備えている。本体２は、背面側段差部５１を有する。背面側段差部５１は、壁に埋めることが可能である。カバー部材９は、複数のカバー要素５５、５６、５７、５８を有している。複数のカバー要素５５、５６、５７、５８は、背面側段差部５１が壁に埋め込まれる方向に沿って並ぶ。複数のカバー要素５５、５６、５７、５８は、分割可能である。カバー部材９は、背面側段差部５１の少なくとも一部を覆う。【選択図】図３
2007183012.tif 000002
【特許請求の範囲】
【請求項１】
壁に埋めることが可能な背面側段差部（５１）を有する本体（２）と、
前記背面側段差部（５１）が壁に埋め込まれる方向に沿って並ぶ分割可能な複数のカバー要素（５５、５６、５７、５８）を有しており、前記背面側段差部（５１）の少なくとも一部を覆うカバー部材（９）と、
を備えている、
床置き型の空気調和機の室内機（１）。
【請求項２】
前記カバー部材（９）は、前記本体（２）の周方向に延びる少なくとも１本の溝（５４）を有し、
前記カバー部材（９）は、前記溝（５４）に沿って分割可能である、
請求項１に記載の室内機（１）。
【請求項３】
前記カバー部材（９）は、前記本体（２）の周方向に延びる少なくとも１本の自立部（５９）を有する、
請求項１に記載の室内機（１）。
【請求項４】
前記カバー要素（５５、５６、５７、５８）は、互いに着脱自在に連結されている、
請求項１に記載の室内機（１）。
【請求項５】
分割可能な複数のカバー要素（５５、５６、５７、５８）を有しており、床置き型空気調和機の室内機（１）の本体（２）において壁に埋め込まれる背面側段差部（５１）の少なくとも一部を覆うカバー部材（９）。
【請求項６】
分割可能な複数のカバー要素（５５、５６、５７、５８）を有するカバー部材（９）を、空気調和機の室内機（１）の背面側段差部（５１）が壁に埋め込まれる埋込み量に合わせて前記カバー要素（５５、５６、５７、５８）の一部を取り外す取外し行程と、
前記カバー部材（９）が装着された状態で前記背面側段差部（５１）を壁に埋め込む埋込み行程と
を有する、
室内機（１）の壁埋込み方法。
【発明の詳細な説明】
【技術分野】
【０００１】
本発明は、空気調和機の室内機およびそのカバー部材、ならびに室内機の壁埋込み方法に関する。
【背景技術】
【０００２】
従来の床置き型の空気調和機の室内機には、特許文献１記載のように壁に埋め込んで設置することが可能な室内機がある。この室内機は、本体ケーシングに壁に埋め込まれる背面側埋込み部分を有している。室内機を壁に埋め込まない場合には、埋込み部分は、カバーで覆われている。カバーは、埋込み部分の上面および両側面を覆うためにコの字状の部材である。
【特許文献１】特開平１０−３００１８６号公報
【発明の開示】
【発明が解決しようとする課題】
【０００３】
しかし、特許文献１記載の室内機では、壁が薄い等の理由によって、埋込み部分の全部を埋め込むことができないときには、埋込み部分のうちの壁から露出した部分を隠すために、化粧ボード等を露出部分に貼り付ける必要がある。このため、室内機の外観上の美しさが低下する。
本発明の課題は、埋込み量に合わせて本体の埋込み部分を隠すことができ、壁に埋め込んだ状態の室内機の外観を美しくすることができる空気調和機の室内機およびそのカバー部材、ならびに室内機の壁埋込み方法を提供することにある。
【課題を解決するための手段】
【０００４】
第１発明の空気調和機の室内機は、床置き型である。室内機は、本体と、カバー部材とを備えている。本体は、背面側段差部を有する。背面側段差部は、壁に埋めることが可能である。カバー部材は、複数のカバー要素を有している。複数のカバー要素は、背面側段差部が壁に埋め込まれる方向に沿って並ぶ。複数のカバー要素は、分割可能である。カバー部材は、背面側段差部の少なくとも一部を覆う。
【０００５】
ここでは、本体の背面側段差部を覆うカバー部材が背面側段差部が壁に埋め込まれる方向に沿って並ぶ分割可能な複数のカバー要素を有しているので、複数のカバー要素の一部を取り外すことによって、背面側段差部が壁に埋め込まれる埋込み量に合わせてカバー部材の幅を段階的に調整することが可能である。また、これによって、壁が薄い等の理由で背面側段差部に露出部分が生じても、カバー部材の幅を段階的に調整して露出部分をカバー部材で隠すことが可能である。その結果、埋め込み後の室内機の外観が美しくなる。
【０００６】
第２発明の空気調和機の室内機は、第１発明の空気調和機の室内機であって、カバー部材は、少なくとも１本の溝を有している。溝は、本体の周方向に延びる。カバー部材は、溝に沿って分割可能である。
ここでは、カバー部材が本体の周方向に延びる溝を有しているので、カバー部材を容易に分割することが可能である。
【０００７】
第３発明の空気調和機の室内機は、第１発明の空気調和機の室内機であって、カバー部材は、少なくとも１本の自立部を有する。自立部は、本体の周方向に延びる。
ここでは、カバー部材が本体の周方向に延びる自立部を有しているので、カバー部材の強度を向上することが可能である。しかも、自立部が各カバー要素を補強することによってカバー部材の分割を容易にすることが可能である。
【０００８】
第４発明の空気調和機の室内機は、第１発明の空気調和機の室内機であって、カバー要素は、互いに着脱自在に連結されている。
ここでは、カバー要素が互いに着脱自在に連結されているので、すでに壁に埋め込まれている室内機を取り外して他の薄い壁に埋め込む場合にも、カバー要素を連結することによって、背面側段差部の露出部分を隠すことが可能である。
【０００９】
第５発明のカバー部材は、複数のカバー要素を有している。複数のカバー要素は、分割可能である。カバー部材は、床置き型空気調和機の室内機の本体において壁に埋め込まれる背面側段差部の少なくとも一部を覆う。
ここでは、カバー部材が分割可能な複数のカバー要素を有しているので、床置き型空気調和機の室内機の本体において壁に埋め込まれる背面側段差部が壁に埋め込まれる埋込み量に合わせてカバー部材の幅を段階的に調整することが可能である。また、これによって、壁が薄い等の理由で背面側段差部に露出部分が生じても、カバー部材の幅を段階的に調整して露出部分をカバー部材で隠すことが可能である。その結果、埋め込み後の室内機の外観が美しくなる。
【００１０】
第６発明の室内機の壁埋込み方法は、取外し行程と、埋込み行程とを有する。取外し行程は、分割可能な複数のカバー要素を有するカバー部材を、空気調和機の室内機の背面側段差部が壁に埋め込まれる埋込み量に合わせてカバー要素の一部を取り外す行程である。埋込み行程は、カバー部材が装着された状態で背面側段差部を壁に埋め込む埋込み行程である。
【００１１】
ここでは、本体の背面側段差部が壁に埋め込まれる埋込み量に合わせてカバー要素の一部を取り外す取外し行程と、背面側段差部を壁に埋め込む埋込み行程とを有しているので、背面側段差部が壁に埋め込まれる埋込み量に合わせてカバー部材の幅を段階的に調整することが可能である。また、これによって、壁が薄い等の理由で背面側段差部に露出部分が生じても、カバー部材の幅を段階的に調整して露出部分をカバー部材で隠すことが可能である。その結果、埋め込み後の室内機の外観が美しくなる。
【発明の効果】
【００１２】
第１発明によれば、室内機本体の背面側段差部が壁に埋め込まれる埋込み量に合わせてカバー部材の幅を段階的に調整することができる。また、これによって、壁が薄い等の理由で背面側段差部に露出部分が生じても、カバー部材の幅を段階的に調整して露出部分をカバー部材で隠すことができ、埋め込み後の室内機の外観を美しくすることができる。
第２発明によれば、カバー部材を容易に分割することができる。
【００１３】
第３発明によれば、カバー部材の強度を向上することができる。しかも、カバー部材の分割を容易にすることができる。
第４発明によれば、すでに壁に埋め込まれている室内機を取り外して他の薄い壁に埋め込む場合にも、カバー要素を連結することによって、背面側段差部の露出部分を隠すことができる。
【００１４】
第５発明によれば、床置き型空気調和機の室内機の本体において壁に埋め込まれる背面側段差部が壁に埋め込まれる埋込み量に合わせてカバー部材の幅を段階的に調整することができる。また、これによって、壁が薄い等の理由で背面側段差部に露出部分が生じても、カバー部材の幅を段階的に調整して露出部分をカバー部材で隠すことができ、埋め込み後の室内機の外観を美しくすることができる。
【００１５】
第６発明によれば、室内機本体の背面側段差部が壁に埋め込まれる埋込み量に合わせてカバー部材の幅を段階的に調整することができる。また、これによって、壁が薄い等の理由で背面側段差部に露出部分が生じても、カバー部材の幅を段階的に調整して露出部分をカバー部材で隠すことができ、埋め込み後の室内機の外観を美しくすることができる。
【発明を実施するための最良の形態】
【００１６】
以下、図面を参照しながら、本発明の実施形態に係わる空気調和機の室内機およびそのカバー部材、ならびに室内機の壁埋込み方法について説明する。
図１〜図５に示される空気調和機の室内機１は、床置き型の室内機であり、本体２と、室内熱交換器３と、ファン４と、シャッタ５と、ステップモータ６と、フィルタ７と、前面グリル８と、カバー部材９と、前面パネル１０とを備えている。本体２の前面に配置される前面パネル１０は、フラット（平坦）な形状をしている。
【００１７】
本体２には、室内熱交換器３と、ファン４と、シャッタ５と、ステップモータ６と、フィルタ７と、前面グリル８とが収納されている。
室内機１は、居室の床に据え置いた状態で使用される。室内機１は、本体２を居室の壁の表面に接触させて設置するだけでなく、図３および図５に示されるように、後述するカバー部材９の全部または一部を取り外すことにより、本体２の背面側段差部５１の全部または一部を居室の壁に埋め込んだ状態で設置することも可能である。
【００１８】
＜本体２の構成＞
本体２は、図４および図５に示されるように、合成樹脂製の中空の筐体からなる。
本体２において壁に埋め込むことが可能な背面側段差部５１は、図５に示されるように、前面側上面５３よりも低くなるように形成されている。背面側段差部５１を覆うカバー部材９の高さは、前面側上面５３の高さと同一になるように設定されている。
【００１９】
本体２の内部には、図４に示されるように、前面側に形成された前面側開口２ａから後方へ向かって、フィルタ７、室内熱交換器３、ファン４が順に配置されている。
本体２の前面側開口２ａの周縁には、前面グリル８が取り付けられている。前面グリル８には、フィルタ７がはめ込まれている。
本体２の前面側開口２ａの前方には、前面側開口２ａから浮かせた状態で平坦な前面パネル１０が配置されている。
【００２０】
前面パネル１０は、上下左右の四方において上部吸込口１１ａ、下部吸込口１１ｂ、第１側部吸込口１１ｃおよび第２側部吸込口１１ｄを有している。具体的には、前面パネル１０は、本体２から前方に離間して配置されているので、前面パネル１０の上側と左右両側の三方には、３カ所の上部吸込口１１ａ、第１側部吸込口１１ｃ、および第２側部吸込口１１ｄ（図１参照）が形成されている。また、前面パネル１０の下部であって下部吹出口２５よりも若干上方の位置には、スリット状の下部吸込口１１ｂが形成されている。これにより、前面パネル１０の上下左右の四方向において、それぞれ吸込口１１ａ、１１ｂ、１１ｃ、１１ｄが配置されている。
【００２１】
前面パネル１０の上部および下部には、嵌合突起１０ａ、１０ｂがそれぞれ形成されている。嵌合突起１０ａ、１０ｂを前面グリル８の嵌合凹部８ａおよび本体２の前面下端付近の嵌合穴２ｂにそれぞれ嵌合させることにより、前面パネル１０は、本体２の前面側開口２ａから浮かせた状態で固定される。
本体１には、吸込通路Ｐ１と、上部吹き出し通路Ｐ２と、下部吹き出し通路Ｐ３とが形成されている。
【００２２】
吸込通路Ｐ１は、前面パネル１０の四方の上部吸込口１１ａ、下部吸込口１１ｂ、第１側部吸込口１１ｃ、または第２側部吸込口１１ｄのうちのいずれかの吸込口を通って、前面側開口２ａを通して本体２に入り、フィルタ７、室外熱交換器３、ファン４の順に通る通路である。
上部吹き出し通路Ｐ２は、ファン４から上部空間部２７を通って上部吹出口２４へ向かう通路である。上部吹出口２４は、本体２の前面側開口２ａの上方に形成されている。上部吹出口２４には、開閉可能な可動板２６が配置されている。
【００２３】
下部吹き出し通路Ｐ３は、ファン４から下部空間部２８を通って下部吹出口２５へ向かう通路である。下部吹出口２５は、本体２の前面側開口２ａの下方に形成されている。下部空間部２８には、開閉可能なシャッタ５が配置されている。さらに、下部空間部２８の内部には、閉状態でシャッタ５に当接するストッパ３７が形成されている。また、前面パネル１０における下部吹出口２５の前方側の部分には、水平方向に延びる複数のスリット１０ｃが形成されている。
【００２４】
＜ファン４の構成＞
ファン４は、遠心方向に風を吹き出す遠心ファンの一種であるターボファンであり、図４に示されるように、ファンロータ４１と、モータ４２と、ファンケーシング４３とを備えている。ファンロータ４１は、中心４１ｂから螺旋を描きながら離れるように配置された複数枚の羽根４１ａ（図４の斜線部分）を有している。
【００２５】
ファンケーシング４３は、ファンロータ４１およびモータ４２を収納したケーシングである。ファンケーシング４３の上部は、本体２の上部空間部２７と連通している。ファンケーシング４３の下部は、本体２の下部空間部２８と連通している。
ファン４で生成された遠心方向へ吹き出す空気流れは、ファンケーシング４３から上下に分岐して上部吹き出し通路Ｐ２および下部吹き出し通路Ｐ３をそれぞれ通り、そののち上部吹出口２４および下部吹出口２５からそれぞれ本体２の外部に排出される。
【００２６】
＜カバー部材９の構成＞
カバー部材９は、図３〜図５に示されるように、分割可能な複数のカバー要素５５、５６、５７、５８を有している。カバー要素５５、５６、５７、５８は、背面側段差部５１が壁に埋め込まれる方向Ｄに沿って並ぶ。カバー部材９は、カバー要素５５、５６、５７、５８が一体になるように合成樹脂で製造されている。
【００２７】
カバー部材９は、本体２の背面側段差部５１の少なくとも一部を覆う部材であり、背面側段差部５１の上面および両側面を覆うためにコの字状に形成されている。カバー部材９は、ネジ５２によって本体２に固定されている。図２〜図５に示されるカバー部材９は、本体２の背面側段差部５１の全体を覆っている。
カバー部材９の複数のカバー要素５５、５６、５７、５８のうちの１つまたは複数個を分割することによって、本体２の背面側段差部５１が壁に埋め込まれる埋込み量に合わせてカバー部材９の幅を段階的に調整可能である。
【００２８】
また、カバー部材９は、カバー部材９の外周面において、本体２の周方向に延びる溝５４を有している。溝５４は、複数のカバー要素５５、５６、５７、５８の境界付近に形成されている。これにより、カバー部材９は、溝５４に沿って、カバー部材９の複数のカバー要素５５、５６、５７、５８のうちの１つまたは複数個を分割することが可能である、
溝５４は、カバー部材９を合成樹脂で製造する際に同時に成型したり、カバー部材９を成型後に切削加工するなどによって形成される。
【００２９】
さらに、カバー部材９は、本体２の周方向に延びる自立部としてリブ５９を有する。リブ５９は、カバー要素５５、５６、５７にそれぞれ形成されている。このリブ５９によって、カバー部材９の強度を向上することが可能である。
リブ５９は、本体２の背面側段差部５１の前後方向において溝５４とずれた配置されているので、溝５４に沿ってカバー要素５５、５６、５７、５８を分割するときに、溝５４から生じる亀裂とリブ５９とが干渉することがない。しかも、溝５４の直近の位置でリブ５９がカバー要素５５、５６、５７のそれぞれを補強しているので、分割時においてカバー要素５５、５６、５７の変形を抑えることが可能である。これにより、溝５４に沿ってカバー要素５５、５６、５７、５８を容易に分割することが可能になる。
【００３０】
＜室内機１の壁埋込み方法＞
室内機１を壁に埋め込む場合、まず、カバー部材９を、室内機１の本体２の背面側段差部５１が壁に埋め込まれる埋込み量に合わせて、カバー要素５５、５６、５７、５８の一部を取り外す（取外し行程）。
ここで、カバー部材９を分割する際に、本体２からカバー部材９を取り外して分割を行ってもよいし、本体２にカバー部材９が装着された状態で分割を行ってもよい。
【００３１】
ついで、カバー部材９が装着された状態で背面側段差部５１を壁に埋め込む（埋込み行程）。
この壁埋込み方法によって、本体２の背面側段差部５１が壁に埋め込まれる埋込み量に合わせてカバー部材９の幅を段階的に調整可能である。
＜特徴＞
（１）
実施形態の室内機１では、本体２の背面側段差部５１を覆うカバー部材９が背面側段差部５１が壁に埋め込まれる方向Ｄに沿って並ぶ分割可能な複数のカバー要素５５、５６、５７、５８を有しているので、複数のカバー要素５５、５６、５７、５８の一部を取り外すことによって、背面側段差部５１が壁に埋め込まれる埋込み量に合わせてカバー部材９の幅を段階的に調整することが可能である。また、これによって、壁が薄い等の理由で背面側段差部５１に露出部分が生じても、カバー部材９の幅を段階的に調整して露出部分をカバー部材で隠すことが可能である。その結果、埋め込み後の室内機１の外観が美しくなる。
【００３２】
なお、露出部分をカバー部材で完全に隠すことができない場合でも、従来の室内機と比較して露出部分は小さくなっているので、コーキング剤を露出部分に塗布してマスキングすることによって仕上がりが美しくなる。
（２）
実施形態では、カバー部材９が本体２の周方向に延びる少なくとも１本の溝５４を有しており、カバー部材９が溝５４に沿って分割可能であるので、カバー部材９を容易に分割することが可能である。
【００３３】
また、カバー部材９の外側に少なくとも１本の溝５４が形成されているので、室内機１全体の奥行きが薄く見えるという視覚効果を奏することが可能である。
（３）
実施形態では、カバー部材９が本体２の周方向に延びる少なくとも１本のリブ５９を有しているので、カバー部材９の強度を向上することが可能である。しかも、リブ５９が各カバー要素５５、５６、５７を補強することによってカバー部材９の分割を容易にすることが可能である。
【００３４】
（４）
実施形態の室内機１の壁埋込み方法は、分割可能な複数のカバー要素５５、５６、５７、５８を有するカバー部材９を、本体２の背面側段差部５１が壁に埋め込まれる埋込み量に合わせてカバー要素５５、５６、５７、５８の一部を取り外す取外し行程と、カバー部材９が装着された状態で背面側段差部５１を壁に埋め込む埋込み行程とを有しているので、背面側段差部５１が壁に埋め込まれる埋込み量に合わせてカバー部材９の幅を段階的に調整することが可能である。また、これによって、壁が薄い等の理由で背面側段差部５１に露出部分が生じても、カバー部材９の幅を段階的に調整して露出部分をカバー部材で隠すことが可能である。その結果、埋め込み後の室内機１の外観が美しくなる。
【００３５】
＜変形例＞
（Ａ）
上記実施形態では、カバー部材９は、カバー要素５５、５６、５７、５８が一体になるように合成樹脂で製造されているが、本発明はこれに限定されるものではなく、互いに着脱自在に連結可能なカバー要素５５、５６、５７、５８をそれぞれ別体として製造してもよい。この場合、カバー要素５５、５６、５７、５８を互いに連結することによって、カバー部材９が構成される。
【００３６】
この変形例におけるカバー要素５５、５６、５７、５８の連結部分は、例えば、互いに隣接するカバー要素５５、５６、５７、５８のそれぞれの対向面に設けられた嵌合凹部と嵌合凸部との組合せなどからなる。また、連結部分の他の例として、磁石の吸着力を用いた構成、例えば、磁石と金属板等の磁性体との組合せでもよい。
このように、カバー要素５５、５６、５７、５８が互いに着脱自在に連結されることによって、すでに壁に埋め込まれている室内機を取り外して他の薄い壁に埋め込む場合にも、カバー要素を連結することによって、背面側段差部の露出部分を隠すことが可能である。
【００３７】
（Ｂ）
実施形態では、カバー部材９の外側に溝５４が形成されているが、本発明はこれに限定されるものではなく、カバー部材９の内側、またはカバー部材９の内外両側に溝５４を形成してもよい。この場合も、カバー部材９を容易に分割することが可能である。
【産業上の利用可能性】
【００３８】
本発明は、壁への埋込みが可能な空気調和機の室内機およびそのカバー部材、ならびに室内機の壁埋込み方法に適用することが可能である。
【図面の簡単な説明】
【００３９】
【図１】本発明の実施形態に係わる空気調和機の室内機の正面図。
【図２】図１の室内機の側面図。
【図３】図１の室内機のカバー部材を取り外した状態の斜視図。
【図４】図１の室内機の縦断面図。
【図５】図４の室内機におけるカバー部材付近の拡大断面図。
【符号の説明】
【００４０】
１  室内機
２  本体
３  室内熱交換器
４  ファン
５  シャッタ
６  ステップモータ
７  フィルタ
８  前面グリル
９  カバー部材
１０  前面パネル
２４  上部吹出口
２５  下部吹出口
２７  上部空間部
２８  下部空間部
５１  背面側段差部
５４  溝
５５、５６、５７、５８  カバー要素
５９  リブ
【図１】
2007183012.tif 000003
【図２】
2007183012.tif 000004
【図３】
2007183012.tif 000005
【図４】
2007183012.tif 000006
【図５】
2007183012.tif 000007
【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
壁に埋めることが可能な背面側段差部（５１）を有する本体（２）と、
前記背面側段差部（５１）が壁に埋め込まれる方向に沿って並ぶ分割可能な複数のカバー要素（５５、５６、５７、５８）を有しており、前記背面側段差部（５１）の上面および両側面を覆うカバー部材（９）と、
を備えており、
前記カバー部材（９）は、前記背面側段差部（５１）に当接する自立部（５９）を有し、
前記自立部（５９）は、前記本体（２）の周方向に延び、前記カバー要素（５５、５６、５７、５８）にそれぞれ形成されている、
床置き型の空気調和機の室内機（１）。
【請求項２】
前記カバー部材（９）は、前記本体（２）の周方向に延びる少なくとも１本の溝（５４）を有し、
前記カバー部材（９）は、前記溝（５４）に沿って分割可能である、
請求項１に記載の室内機（１）。
【請求項３】
前記自立部（５９）は、前記背面側段差部（５１）の前後方向において前記溝（５４）とずれて配置されている、
請求項２に記載の室内機（１）。
【請求項４】
前記カバー要素（５５、５６、５７、５８）は、互いに着脱自在に連結されている、
請求項１に記載の室内機（１）。
【請求項５】
分割可能な複数のカバー要素（５５、５６、５７、５８）と、
前記カバー要素（５５、５６、５７、５８）にそれぞれ形成され、床置き型空気調和機の室内機（１）の本体（２）の周方向に延びる、前記背面側段差部（５１）に当接する自立部（５９）と
を有しており、
床置き型空気調和機の室内機（１）の本体（２）において壁に埋め込まれる背面側段差部（５１）の上面および両側面を覆う
カバー部材（９）。
【請求項６】
請求項１から４のいずれかの床置き型の空気調和機の室内機（１）の壁埋込み方法であって、
分割可能な複数のカバー要素（５５、５６、５７、５８）を有するカバー部材（９）を、空気調和機の室内機（１）の背面側段差部（５１）が壁に埋め込まれる埋込み量に合わせて前記カバー要素（５５、５６、５７、５８）の一部を取り外す取外し工程と、
前記カバー部材（９）が装着された状態で前記背面側段差部（５１）を壁に埋め込む埋込み工程と
を有する、
室内機（１）の壁埋込み方法。
【手続補正２】
【補正対象書類名】明細書
【補正対象項目名】０００４
【補正方法】変更
【補正の内容】
【０００４】
第１発明の空気調和機の室内機は、床置き型である。室内機は、本体と、カバー部材とを備えている。本体は、背面側段差部を有する。背面側段差部は、壁に埋めることが可能である。カバー部材は、複数のカバー要素を有している。複数のカバー要素は、背面側段差部が壁に埋め込まれる方向に沿って並ぶ。複数のカバー要素は、分割可能である。カバー部材は、背面側段差部の上面および両側面を覆う。カバー部材は、自立部を有している。自立部は、背面側段差部に当接している。自立部は、本体の周方向に延びている。自立部は、カバー要素にそれぞれ形成されている。
【手続補正３】
【補正対象書類名】明細書
【補正対象項目名】０００５
【補正方法】変更
【補正の内容】
【０００５】
ここでは、本体の背面側段差部を覆うカバー部材が背面側段差部が壁に埋め込まれる方向に沿って並ぶ分割可能な複数のカバー要素を有しているので、複数のカバー要素の一部を取り外すことによって、背面側段差部が壁に埋め込まれる埋込み量に合わせてカバー部材の幅を段階的に調整することが可能である。また、これによって、壁が薄い等の理由で背面側段差部に露出部分が生じても、カバー部材の幅を段階的に調整して露出部分をカバー部材で隠すことが可能である。その結果、埋め込み後の室内機の外観が美しくなる。
また、カバー部材は背面側段差部に当接する自立部を有しており、自立部が本体の周方向に延びているので、カバー部材の強度を向上することが可能である。しかも、自立部がカバー要素にそれぞれ形成されているので、自立部が各カバー要素を補強することによってカバー部材の分割を容易にすることが可能である。
【手続補正４】
【補正対象書類名】明細書
【補正対象項目名】０００７
【補正方法】変更
【補正の内容】
【０００７】
第３発明の空気調和機の室内機は、第２発明の空気調和機の室内機であって、自立部は、背面側段差部の前後方向において溝とずれて配置されている。
ここでは、自立部は、背面側段差部の前後方向において溝とずれて配置されているので、溝に沿ってカバー要素を分割するときに、溝から生じる亀裂と自立部とが干渉することがない。しかも、溝の直近の位置で自立部がカバー要素のそれぞれを補強しているので、分割時においてカバー要素の変形を抑えることが可能である。これにより、溝に沿ってカバー要素を容易に分割することが可能になる。
【手続補正５】
【補正対象書類名】明細書
【補正対象項目名】０００９
【補正方法】変更
【補正の内容】
【０００９】
第５発明のカバー部材は、複数のカバー要素と、自立部とを有している。複数のカバー要素は、分割可能である。自立部は、背面側段差部に当接している。自立部は、カバー要素にそれぞれ形成されている。自立部は、床置き型空気調和機の室内機の本体の周方向に延びる。カバー部材は、床置き型空気調和機の室内機の本体において壁に埋め込まれる背面側段差部の上面および両側面を覆う。
ここでは、カバー部材が分割可能な複数のカバー要素を有しているので、床置き型空気調和機の室内機の本体において壁に埋め込まれる背面側段差部が壁に埋め込まれる埋込み量に合わせてカバー部材の幅を段階的に調整することが可能である。また、これによって、壁が薄い等の理由で背面側段差部に露出部分が生じても、カバー部材の幅を段階的に調整して露出部分をカバー部材で隠すことが可能である。その結果、埋め込み後の室内機の外観が美しくなる。
また、カバー部材が背面側段差部に当接する自立部を有しており、自立部が本体の周方向に延びているので、カバー部材の強度を向上することが可能である。しかも、自立部がカバー要素にそれぞれ形成されているので、自立部が各カバー要素を補強することによってカバー部材の分割を容易にすることが可能である。
【手続補正６】
【補正対象書類名】明細書
【補正対象項目名】００１０
【補正方法】変更
【補正の内容】
【００１０】
第６発明の室内機の壁埋込み方法は、第１発明から第４発明のいずれかの床置き型空気調和機の室内機の壁埋込み方法であり、取外し工程と、埋込み工程とを有する。取外し工程は、分割可能な複数のカバー要素を有するカバー部材を、空気調和機の室内機の背面側段差部が壁に埋め込まれる埋込み量に合わせてカバー要素の一部を取り外す工程である。埋込み工程は、カバー部材が装着された状態で背面側段差部を壁に埋め込む埋込み工程である。
【手続補正７】
【補正対象書類名】明細書
【補正対象項目名】００１１
【補正方法】変更
【補正の内容】
【００１１】
ここでは、本体の背面側段差部が壁に埋め込まれる埋込み量に合わせてカバー要素の一部を取り外す取外し工程と、背面側段差部を壁に埋め込む埋込み工程とを有しているので、背面側段差部が壁に埋め込まれる埋込み量に合わせてカバー部材の幅を段階的に調整することが可能である。また、これによって、壁が薄い等の理由で背面側段差部に露出部分が生じても、カバー部材の幅を段階的に調整して露出部分をカバー部材で隠すことが可能である。その結果、埋め込み後の室内機の外観が美しくなる。
【手続補正８】
【補正対象書類名】明細書
【補正対象項目名】００１２
【補正方法】変更
【補正の内容】
【００１２】
第１発明によれば、室内機本体の背面側段差部が壁に埋め込まれる埋込み量に合わせてカバー部材の幅を段階的に調整することができる。また、これによって、壁が薄い等の理由で背面側段差部に露出部分が生じても、カバー部材の幅を段階的に調整して露出部分をカバー部材で隠すことができ、埋め込み後の室内機の外観を美しくすることができる。
また、カバー部材の強度を向上することができる。しかも、カバー部材の分割を容易にすることができる。
第２発明によれば、カバー部材を容易に分割することができる。
【手続補正９】
【補正対象書類名】明細書
【補正対象項目名】００１３
【補正方法】変更
【補正の内容】
【００１３】
第３発明によれば、溝に沿ってカバー要素を分割するときに、溝から生じる亀裂と自立部とが干渉することがない。しかも、分割時においてカバー要素の変形を抑えることが可能である。これにより、溝に沿ってカバー要素を容易に分割することが可能になる。
第４発明によれば、すでに壁に埋め込まれている室内機を取り外して他の薄い壁に埋め込む場合にも、カバー要素を連結することによって、背面側段差部の露出部分を隠すことができる。
【手続補正１０】
【補正対象書類名】明細書
【補正対象項目名】００１４
【補正方法】変更
【補正の内容】
【００１４】
第５発明によれば、床置き型空気調和機の室内機の本体において壁に埋め込まれる背面側段差部が壁に埋め込まれる埋込み量に合わせてカバー部材の幅を段階的に調整することができる。また、これによって、壁が薄い等の理由で背面側段差部に露出部分が生じても、カバー部材の幅を段階的に調整して露出部分をカバー部材で隠すことができ、埋め込み後の室内機の外観を美しくすることができる。
また、カバー部材の強度を向上することができる。しかも、カバー部材の分割を容易にすることができる。
【手続補正１１】
【補正対象書類名】明細書
【補正対象項目名】００２９
【補正方法】変更
【補正の内容】
【００２９】
さらに、カバー部材９は、本体２の周方向に延びる自立部としてリブ５９を有する。リブ５９は、カバー要素５５、５６、５７、５８にそれぞれ形成されている。このリブ５９によって、カバー部材９の強度を向上することが可能である。
リブ５９は、本体２の背面側段差部５１の前後方向において溝５４とずれて配置されているので、溝５４に沿ってカバー要素５５、５６、５７、５８を分割するときに、溝５４から生じる亀裂とリブ５９とが干渉することがない。しかも、溝５４の直近の位置でリブ５９がカバー要素５５、５６、５７のそれぞれを補強しているので、分割時においてカバー要素５５、５６、５７、５８の変形を抑えることが可能である。これにより、溝５４に沿ってカバー要素５５、５６、５７、５８を容易に分割することが可能になる。
【手続補正１２】
【補正対象書類名】明細書
【補正対象項目名】００３０
【補正方法】変更
【補正の内容】
【００３０】
＜室内機１の壁埋込み方法＞
室内機１を壁に埋め込む場合、まず、カバー部材９を、室内機１の本体２の背面側段差部５１が壁に埋め込まれる埋込み量に合わせて、カバー要素５５、５６、５７、５８の一部を取り外す（取外し工程）。
ここで、カバー部材９を分割する際に、本体２からカバー部材９を取り外して分割を行ってもよいし、本体２にカバー部材９が装着された状態で分割を行ってもよい。
【手続補正１３】
【補正対象書類名】明細書
【補正対象項目名】００３１
【補正方法】変更
【補正の内容】
【００３１】
ついで、カバー部材９が装着された状態で背面側段差部５１を壁に埋め込む（埋込み工程）。
この壁埋込み方法によって、本体２の背面側段差部５１が壁に埋め込まれる埋込み量に合わせてカバー部材９の幅を段階的に調整可能である。
＜特徴＞
（１）
実施形態の室内機１では、本体２の背面側段差部５１を覆うカバー部材９が背面側段差部５１が壁に埋め込まれる方向Ｄに沿って並ぶ分割可能な複数のカバー要素５５、５６、５７、５８を有しているので、複数のカバー要素５５、５６、５７、５８の一部を取り外すことによって、背面側段差部５１が壁に埋め込まれる埋込み量に合わせてカバー部材９の幅を段階的に調整することが可能である。また、これによって、壁が薄い等の理由で背面側段差部５１に露出部分が生じても、カバー部材９の幅を段階的に調整して露出部分をカバー部材で隠すことが可能である。その結果、埋め込み後の室内機１の外観が美しくなる。
【手続補正１４】
【補正対象書類名】明細書
【補正対象項目名】００３３
【補正方法】変更
【補正の内容】
【００３３】
また、カバー部材９の外側に少なくとも１本の溝５４が形成されているので、室内機１全体の奥行きが薄く見えるという視覚効果を奏することが可能である。
（３）
実施形態では、カバー部材９が本体２の周方向に延びる少なくとも１本のリブ５９を有しているので、カバー部材９の強度を向上することが可能である。しかも、リブ５９が各カバー要素５５、５６、５７、５８を補強することによってカバー部材９の分割を容易にすることが可能である。
【手続補正１５】
【補正対象書類名】明細書
【補正対象項目名】００３４
【補正方法】変更
【補正の内容】
【００３４】
（４）
実施形態の室内機１の壁埋込み方法は、分割可能な複数のカバー要素５５、５６、５７、５８を有するカバー部材９を、本体２の背面側段差部５１が壁に埋め込まれる埋込み量に合わせてカバー要素５５、５６、５７、５８の一部を取り外す取外し工程と、カバー部材９が装着された状態で背面側段差部５１を壁に埋め込む埋込み工程とを有しているので、背面側段差部５１が壁に埋め込まれる埋込み量に合わせてカバー部材９の幅を段階的に調整することが可能である。また、これによって、壁が薄い等の理由で背面側段差部５１に露出部分が生じても、カバー部材９の幅を段階的に調整して露出部分をカバー部材で隠すことが可能である。その結果、埋め込み後の室内機１の外観が美しくなる。